(57)【要約】【課題】  安定器外郭と器具本体とのアースを確実に行う。【解決手段】  器具本体と、外郭が導電体で形成された棒状の安定器１と、器具本体に配置され安定器１を収納する筒状のケースと、ケースの両端に当接するパッキンと、パッキンを押さえ付けてケースに取り付けられる導電体で形成されたエンドプレートとを備えた照明器具において、安定器外郭とケース内壁間に、導通を取るための金具１０を挿入し、安定器外郭とエンドプレートとがケースを介して導通している。これにより、安定器外郭と器具本体間のアース導通を確実にすることができるため、電気的安全性を目的としたアース確実性のみならず、インバータから発生するノイズ低減を目的とした所謂機能アースをより確実に実現することができる。【選択図】  図１
2005071809.tif 000002
【特許請求の範囲】
【請求項１】
器具本体と、外郭が導電体で形成された棒状の安定器と、前記器具本体に配置され前記安定器を収納する筒状のケースと、前記ケースの両端に当接するパッキンと、前記パッキンを押さえ付けて前記ケースに取り付けられる導電体で形成されたエンドプレートとを備えた照明器具において、前記安定器外郭と前記エンドプレートとが前記ケースを介して導通していることを特徴とする照明器具。
【請求項２】
安定器外郭とケース内壁間に、導通を取るための金具を挿入した請求項１記載の照明器具。
【請求項３】
安定器外郭にケース内壁に接触する突起を設けた請求項１記載の照明器具。
【発明の詳細な説明】
【技術分野】
【０００１】
この発明は、照明器具に関するものである。
【背景技術】
【０００２】
近年、省エネルギを目的にしてインバータ商品が急拡大している。インバータ商品の場合、電気的安全性を目的としたアース確実性のみならず、インバータから発生するノイズ低減を目的とした所謂機能アースが必要である。従来より、防水ケース外郭と照明器具本体間の導通は確保されていたが、インバータ安定器外郭と防水ケースとの導通については、積極的な対策を施していないのが実情であった。
【０００３】
図１０は従来の照明器具の安定器周辺の分解斜視図、図１１は他の従来例の照明器具の説明図である。図１０に示すように、筒状ケース２に安定器１を収納し、その両端にパッキン３をエンドプレート４で押さえ付けてねじ５で取り付ける方法があった。しかし、ケース２及び安定器外郭は表面処理を施されていることが多く、その間の導通は確実とはいえない。このような構成として、ケース本体と、ケース本体の開口に取り付けた防水パッキンと、防水パッキンに取り付けたエンドカバーとを備えた電気部品用防水ケース（特許文献１）や、ケース本体の端部にパッキンング、端板を締め付け固定した電気部品収納ケース（特許文献２）が開示されている。
【０００４】
また、ケース２内での安定器１のがたつき防止や位置決めに配慮されておらず、アースの確実性、及び安定器１がケース２内壁に密着することによる放熱効果など、個体間のばらつきが多かった。さらに、エンドプレート４をねじ５でケース２に締め付ける際、その締め付け力によりパッキン３の圧縮代が異なるため、防水性能面においても個体間にばらつきがあった。
【０００５】
また、図１１に示すように、ケース２に安定器１を収納し、その両端をコンパウンド５５などで密閉する方法がある。この方法は、防水性能的には問題はないが、前述のアース確実性などで問題があった。また、コンパウンド５５を乾燥させる手間がかかるなどの問題があった。
【特許文献１】実開平５−３８９６２号公報
【特許文献２】特開平５−２９１７５９号公報
【発明の開示】
【発明が解決しようとする課題】
【０００６】
上記のように従来例の多くは、アースの確実性を考慮していない場合が多い。同時に、安定器がケース内壁に密着することによる放熱効果など、個体間にばらつきが多かった。
【０００７】
したがって、この発明の目的は、一般の器具内に使用される安定器を筒状のケースに収納して使用するときに、安定器を器具本体に確実にアースすることができる照明器具を提供することである。
【課題を解決するための手段】
【０００８】
上記課題を解決するためにこの発明の請求項１記載の照明器具は、器具本体と、外郭が導電体で形成された棒状の安定器と、前記器具本体に配置され前記安定器を収納する筒状のケースと、前記ケースの両端に当接するパッキンと、前記パッキンを押さえ付けて前記ケースに取り付けられる導電体で形成されたエンドプレートとを備えた照明器具において、前記安定器外郭と前記エンドプレートとが前記ケースを介して導通している。
【０００９】
この発明の請求項２記載の照明器具は、請求項１記載の照明器具において、安定器外郭とケース内壁間に、導通を取るための金具を挿入した。
【００１０】
この発明の請求項３記載の照明器具は、請求項１記載の照明器具において、安定器外郭にケース内壁に接触する突起を設けた。
【発明の効果】
【００１１】
この発明の請求項１記載の照明器具によれば、安定器外郭とエンドプレートとがケースを介して導通しているので、安定器外郭と器具本体間のアース導通を確実にすることができる。このため、電気的安全性を目的としたアース確実性のみならず、インバータから発生するノイズ低減を目的とした所謂機能アースをより確実に実現することができる。
【００１２】
請求項２では、安定器外郭とケース内壁間に、導通を取るための金具を挿入したので、安定器とケース間の導通が可能となる。また、金具により安定器のがたつき防止が図れるとともに、安定器の取り付けと同時にアースが取れる。
【００１３】
請求項３では、安定器外郭にケース内壁に接触する突起を設けたので、安定器とケース間の導通が可能となる。また、突起により安定器のがたつき防止が図れるとともに、安定器の取り付けと同時にアースが取れ、かつ金具、ねじ等が不要であるという利点がある。
【発明を実施するための最良の形態】
【００１４】
この発明の第１の実施の形態を図１および図２に基づいて説明する。図１は本発明の第１の実施形態の安定器の斜視図、図２（ａ）は防水用照明器具全体の分解斜視図、（ｂ）は防水安定器の完成状態の説明図である。
【００１５】
図１および図２に示すように、器具本体２０と、外郭が導電体で形成された棒状の安定器１と、器具本体２０に配置され安定器１を収納する筒状のケース２と、ケース２の両端に当接するパッキン３と、パッキン３を押さえ付けてケース２に取り付けられる導電体で形成されたエンドプレート４とを備えている。その構成は図１０で示した従来例と同様である。また、安定器外郭とエンドプレート４とがケース２を介して導通している。具体的には、安定器外郭とケース２内壁間に、導通を取るための金具１０を挿入した。
【００１６】
金具１０は、導電体で形成され、ケース２内壁の表面処理膜を削ることを目的とした突起１０ａおよびねじ挿通孔１０ｂを備えており、安定器１にねじ１７、ナット１８等で取り付けられる。また、安定器外郭の端部にはねじ挿通部１５が設けてある。この場合、ねじ１７を金具１０のねじ挿通孔１０ｂおよび安定器１のねじ挿通部１５に挿通してナット１８を用いて、安定器外郭の上面に金具１０を固定する。ナット１８には、安定器外郭の表面処理膜を削る突起（図示せず）を設けているため、安定器１とケース２間の導通が可能となる。
【００１７】
また、図２（ｂ）に示すように、エンドプレート４には、取付片１１およびねじ取付部１４が設けてある。ケース２とエンドプレート４はねじ取付部１４を用いてねじ５で取り付けられるため、安定器１とエンドプレート４間の導通が可能となる。さらに、エンドプレート４は、取付片１１に設けた孔を利用してねじ・ナット２５などで器具本体２０に取り付けられるため、安定器外郭と器具本体２０間のアース導通が可能となる。
【００１８】
また、図２（ａ）に示すように、器具本体２０は、アンカーボルトに座金・ナット２１で固定され、反射板２２、ランプ２３が装着される。また、安定器１からの電線２６がパッキン３およびエンドプレート４に設けた電線挿通孔１３より導出される（図２（ｂ））。
【００１９】
以上のように本実施形態によれば、安定器外郭と器具本体２０間のアース導通を確実にすることができる。このため、電気的安全性を目的としたアース確実性のみならず、インバータから発生するノイズ低減を目的とした所謂機能アースをより確実に実現することができる。また、金具１０により安定器１のがたつき防止が図れるとともに、安定器１の取り付けと同時にアースが取れる。
【００２０】
この発明の第２の実施の形態を図３に基づいて説明する。図３は本発明の第２の実施形態の安定器の斜視図である。
【００２１】
図３に示すように、第１の実施形態と同様に安定器外郭とケース２内壁間に、導通を取るための金具１０を挿入した構成である。この金具１０は表裏両側に突起１０ａを備えている。突起１０ａにより安定器外郭およびケース２内壁の表面処理膜を削ることで、安定器１とケース２間の導通が取れる。本実施形態では、ねじ等の固着具なしで導通が可能となる利点がある。その他の構成効果は、第１の実施の形態と同様である。
【００２２】
この発明の第３の実施の形態を図４に基づいて説明する。図４は本発明の第３の実施形態の要部断面図である。
【００２３】
図４に示すように、第１の実施形態において、安定器１の背面側に突出したねじ頭などを回避するためのスペースをケース２に設けた構成である。この場合、金具１０（図４で図示せず）を安定器１に取り付ける際に用いるねじ１７の頭部を挿入する凹部３５をケース２に設けている。これにより、安定器１をケース２に密着させることができる。本実施形態では、凹部３５により安定器１がケース２に対して位置決めされるとともに、安定器１とケース２内壁を当接することで、放熱効果を向上させることが可能となる。なお、凹部３５にねじ１７の頭部とともに金具１０を挿入する構成にしてもよい。
【００２４】
この発明の第４の実施の形態を図５に基づいて説明する。図５（ａ）は本発明の第４の実施形態の安定器の斜視図、（ｂ）は要部断面図である。
【００２５】
図５に示すように、第１の実施形態において、金具１０の代わりに、安定器１とケース２内壁間に弾性体を挿入した構成である。この場合、安定器１とケース２間に板状のばね３６を挿入し、安定器１をケース２に密着させる。この際、ケース２内面にばね３６が嵌合する凸部３７を設け、ばね３６の位置決めを容易にする。また、第３の実施形態と同様にケース２に凹部３５を設けている。本実施形態では、ケース２内壁に安定器１をより密着させることで、ケース２内での安定器１のがたつきを防止するとともに、放熱効果を向上することが可能となる。また、凸部３７によりばね３６をより確実に位置決めすることが可能となる。
【００２６】
この発明の第５の実施の形態を図６に基づいて説明する。図６（ａ）は本発明の第５の実施形態の安定器の斜視図、（ｂ）は第５の実施形態の安定器の他の例の斜視図である。
【００２７】
図６に示すように、第１の実施形態において、金具１０の代わりに、安定器１の背面もしくは側面に突起を設けて、安定器１とケース２との導通を可能とした構成である。すなわち、図６（ａ）に示すように、安定器外郭の背面の両端部を切り起こして突起３０を設けている。また、図６（ｂ）に示すように、安定器外郭の側面の両端部を切り起こして突起３０を設けている。突起３０はケース２内壁の表面処理膜を削ることが可能であり、安定器１とケース２間の導通を確保することができる。本実施形態では、安定器１のがたつきを防止できるとともに、金具、ねじ類などが不要であるという利点がある。
【００２８】
この発明の第６の実施の形態を図７に基づいて説明する。図７は本発明の第６の実施形態の安定器の斜視図である。
【００２９】
図７に示すように、第１の実施形態において、金具１０の代わりに、安定器１の背面側にねじなどで突起を出した構成である。この場合、安定器外郭の背面の端部にねじ孔３１を設け、これにねじ３２を螺合してねじ先端を突出させている。ねじ３２の先端はケース２内壁の表面処理膜を削ることが可能であり、安定器１とケース２間の導通を確保することができる。本実施形態では、安定器１の一方の端部にねじ３２を設け、他方の端部に図６（ｂ）と同様の突起３０を設けた構成にしてあるので、ねじの締め付け操作は１箇所でよい。なお、安定器１の両端部にねじ３２を設けてもよい。
【００３０】
この発明の第７の実施の形態を図８に基づいて説明する。図８は本発明の第７の実施形態のエンドプレートの斜視図である。
【００３１】
図８に示すように、エンドプレート４の一部にケース２端部に当接する突起部３８を設けた構成である。安定器１とケース２間の導通を取る構成は上記各実施形態を用いることができる。この場合、突起部３８はねじ５を挿通するねじ取付部１４の位置にあり、ねじ取付部１４を内側に突出させた部分である（図２）。突起部３８の高さは適切なパッキン３の圧縮代に相当する高さであり、ねじ５を締め付ける力に関係なく、パッキン３の圧縮代を一定に保つことができる。本実施形態では、個体間のばらつきを抑えた防水性能が得られる。
【００３２】
すなわち、従来においては、エンドプレートをねじでケースに締め付ける際、その締め付け力によりパッキンの圧縮代が異なるため、防水性能面においても個体間のばらつきがあった。さらに、ケース両端をコンパウンドで密閉する場合（図１１）においては、それを乾燥させる手間がかかるという欠点があったが、このような問題が解消される。
【００３３】
この発明の第８の実施の形態を図９に基づいて説明する。図９（ａ）は本発明の第８の実施形態のエンドプレートの斜視図、（ｂ）は要部断面図である。
【００３４】
図９に示すように、第７の実施形態において、ねじ取付部１４の位置が重心から外れていてもパッキン３全体を均一に圧縮させる位置に突起部３９を設けた構成である。すなわち、ねじ取付部１４に挿通されるねじ５の位置がケース２の断面の重心にない場合、ねじ５を締め付け後にパッキン３全体を均一に押さえ付けるのが困難である。そのため、ねじ取付部１４とは別に、突起部３９を設けることで、パッキン３全体を均一に押さえ付けることが可能となる。突起部３９はパッキン３全体を均一に押さえ付けることが可能となるように配置する。
【図面の簡単な説明】
【００３５】
【図１】本発明の第１の実施形態の安定器の斜視図である。
【図２】（ａ）は防水用照明器具全体の分解斜視図、（ｂ）は防水安定器の完成状態の説明図である。
【図３】本発明の第２の実施形態の安定器の斜視図である。
【図４】本発明の第３の実施形態の要部断面図である。
【図５】（ａ）は本発明の第４の実施形態の安定器の斜視図、（ｂ）は要部断面図である。
【図６】（ａ）は本発明の第５の実施形態の安定器の斜視図、（ｂ）は第５の実施形態の安定器の他の例の斜視図である。
【図７】本発明の第６の実施形態の安定器の斜視図である。
【図８】本発明の第７の実施形態のエンドプレートの斜視図である。
【図９】（ａ）は本発明の第８の実施形態のエンドプレートの斜視図、（ｂ）は要部断面図である。
【図１０】従来の照明器具の安定器周辺の分解斜視図である。
【図１１】他の従来例の照明器具の説明図である。
【符号の説明】
【００３６】
１  安定器
２  ケース
３  パッキン
４  エンドプレート
１０  金具
３０  突起
【図１】
2005071809.tif 000003
【図２】
2005071809.tif 000004
【図３】
2005071809.tif 000005
【図４】
2005071809.tif 000006
【図５】
2005071809.tif 000007
【図６】
2005071809.tif 000008
【図７】
2005071809.tif 000009
【図８】
2005071809.tif 000010
【図９】
2005071809.tif 000011
【図１０】
2005071809.tif 000012
【図１１】
2005071809.tif 000013